(57)【特許請求の範囲】
【請求項１】
選局制御信号に応じて、放送波から希望する番組の信号を選択する選局手段と、
ユーザの選局操作に応じて前記選局制御信号を発生する選局制御信号発生手段と、
前記選局手段により選択された前記番組が前記ユーザに提供されている場合において前記ユーザにより操作されたときに、前記提供されている番組に関連する前記ユーザが好む番組を選択する際に用いられる情報に、重み付けを施すようにするための重み付けボタンを含むリモートコマンダと、
前記ユーザが好む番組を選択する際に用いられる情報が、前記重み付けが施されて記憶されている記憶手段と、
前記記憶手段の記憶内容を調べ、前記ユーザが好む番組の存在の有無を判定する判定手段と、
ディスク状記録媒体と、
前記選局手段で選択された前記番組の信号を圧縮する圧縮手段と、
前記判定手段での判定により前記ユーザが好む番組の存在を検知したときに、前記ユーザが好む番組の信号を前記選局手段において選択するように前記選局制御信号を発生し、前記圧縮手段で圧縮された前記ユーザが好む番組の信号を前記ディスク状記録媒体に記録するように制御すると共に、前記前記ディスク状記録媒体の空き領域が十分でない場合には、記録済みの信号に上書きして、前記圧縮された信号を記録するように制御する制御手段と
を備えることを特徴とする放送受信装置。
【請求項２】
選局された番組がユーザに提供されている場合において、リモートコマンダの重み付けボタンが前記ユーザにより操作されたときに、前記提供されている番組に関連するユーザが好む番組を選択する際に用いられる情報に、重み付けを施して記憶手段に記憶する工程と、
前記記憶手段の記憶内容を調べ、前記ユーザが好む番組の存在の有無を判定する判定工程と、
選局制御信号に応じて放送波から希望する番組の信号を選択する選択手段で選択された前記番組の信号を圧縮する圧縮工程と、
前記判定工程での判定により前記ユーザが好む番組の存在を検知したときに、前記ユーザが好む番組の信号を前記選局手段において選択するように前記選局制御信号を発生し、前記圧縮工程で圧縮された前記ユーザが好む番組の信号をディスク状記録媒体に記録するように制御すると共に、前記ディスク状記録媒体の空き領域が十分でない場合には、記録済みの信号に上書きして、前記圧縮された信号を記録するように制御する制御工程と
を備えることを特徴とする放送受信方法。
【発明の詳細な説明】
【０００１】
【発明の属する技術分野】
この発明は、例えば、テレビ受像機やラジオ受信機において、受信者が高頻度で視聴する番組を見落とすことなく視聴することができるようにする放送受信装置および放送受信方法に関する。
【０００２】
【従来の技術】
テレビ受像機やラジオ受信機で放送番組の視聴を行なう場合において、ユーザはある特定の時間は毎週同じ番組を視聴するような傾向が多々ある。特に連続番組や自分の好みの番組の場合に、同曜日の同一時刻には、その番組を視聴するために、いつも同一のプログラム対応チャンネルを選局していることが多いものである。
【０００３】
ここで、この明細書において、プログラム対応チャンネルというときには、放送局に割り当てられたチャンネル番号を示し、放送波の伝送帯域を分割した周波数帯ごとに番号が付与された伝送チャンネルと区別することとする。ちなみに、現在の日本における地上波によるテレビ放送においては、通常、伝送チャンネルの番号とプログラム対応チャンネルの番号とは一致している場合が多い。
【０００４】
ところで、ユーザがテレビ受像機やラジオ受信機で放送番組を視聴している場合に、時間の経過を忘れ、あるいは他のプログラム対応チャンネルの選局状態をし続けるなどして、毎週視聴している放送番組（以下、このように高頻度で視聴する放送番組を高頻度視聴番組といい、また、この高頻度視聴番組のプログラム対応チャンネルを高頻度視聴チャンネルという）を見落とす場合が生じることがある。
【０００５】
この点にかんがみ、本出願人は、曜日、時間をパラメータとして、当該曜日、時間においてチューナで選択しているプログラム対応チャンネルを逐次記憶する選局情報記憶手段を設けておき、この記憶手段の記憶内容からチューナで選局された各プログラム対応チャンネルの度数を積算して、それが高頻度視聴チャンネルであるか否かを判定するようにすると共に、現時点と同曜日、同時刻に高頻度視聴チャンネルがあるときに、それが現在視聴しているプログラム対応チャンネルと不一致であるとき、すなわち、いつもよく見ている放送番組をその時に見ていなかったときに、アドバイス情報を画面又は音声によって出力し、視聴者に注意を喚起するようにした受信装置を先に提案している。
【０００６】
この先の提案においては、テレビ受像機の電源スイッチがオフであるときにも、このアドバイス情報をユーザが得られるように、このときには音声出力により、前記の注意喚起を行なうようにしている。
【０００７】
【発明が解決しようとする課題】
ところが、前記のように、アドバイス情報がテレビ受像機やラジオ受信機からユーザに対して供与されたとしても、このアドバイス情報をユーザが見逃したり、あるいは聞き逃したりする場合がある。このようになると、ユーザがアドバイス情報を再び見た時点では、すでにいつも視聴している番組が始まってしまっていて、たとえば推理ドラマの最初の部分を見逃してしまったり、話の筋が分からなくなってしまったりするという問題がある。
【０００８】
また、ユーザが不在であるときには、前述のようなアドバイス情報があったとしても、これは何の意味もなさず、ユーザはいつも見ている番組の視聴を諦めなければならない。
【０００９】
そこで、ＶＴＲなどの記録再生装置を用いて、この高頻度視聴チャンネルの番組を予約録画することが考えられるが、一般に予約録画の操作は煩雑であると認識しているユーザが多く、操作間違いなども考慮すると、ユーザが常にこの予約録画の機能を使用する状況は期待することができない。
【００１０】
この発明は、以上の点にかんがみ、ユーザの好む高頻度視聴番組が存在している場合において、その番組のプログラム対応チャンネルを現在視聴していない場合（電源スイッチがオフである場合も含む）においても、ユーザは確実にその高頻度視聴番組を視聴することができるようにした放送受信装置を提供しようとするものである。
【００１１】
【課題を解決するための手段】
上記課題を解決するため、この発明による放送受信装置は、
選局制御信号に応じて、放送波から希望する番組の信号を選択する選局手段と、
ユーザの選局操作に応じて前記選局制御信号を発生する選局制御信号発生手段と、
前記選局手段により選択された前記番組が前記ユーザに提供されている場合において前記ユーザにより操作されたときに、前記提供されている番組に関連する前記ユーザが好む番組を選択する際に用いられる情報に、重み付けを施すようにするための重み付けボタンを含むリモートコマンダと、
前記ユーザが好む番組を選択する際に用いられる情報が、前記重み付けが施されて記憶されている記憶手段と、
前記記憶手段の記憶内容を調べ、前記ユーザが好む番組の存在の有無を判定する判定手段と、
ディスク状記録媒体と、
前記選局手段で選択された前記番組の信号を圧縮する圧縮手段と、
前記判定手段での判定により前記ユーザが好む番組の存在を検知したときに、前記ユーザが好む番組の信号を前記選局手段において選択するように前記選局制御信号を発生し、前記圧縮手段で圧縮された前記ユーザが好む番組の信号を前記ディスク状記録媒体に記録するように制御すると共に、前記前記ディスク状記録媒体の空き領域が十分でない場合には、記録済みの信号に上書きして、前記圧縮された信号を記録するように制御する制御手段と
を備えることを特徴とする。
【００１２】
上記のように構成したこの発明によれば、記憶手段の記憶情報の内容から、ユーザが好む番組の有無が判定される。そして、ユーザが好む番組があると判定された場合には、その番組が受信されるように制御され、ディスク状記録媒体に自動記録される。したがって、ユーザはその記録された番組を、後の時点で再生することによって、確実に視聴することができるようになる。
【００１３】
【発明の実施の形態】
以下、この発明による放送受信装置の実施形態を、地上波を用いたアナログテレビ放送波の受信用のテレビ受像機の場合を例にとって図を参照しながら説明する。
【００１４】
図１は、この実施形態のテレビ受像機のブロック図である。この例のテレビ受像機は、表示画面の一部の小領域に小画面を表示することができる、いわゆるピクチャー・イン・ピクチャー（ＰｉｎＰ）の機能を有すると共に、録画再生装置部を内蔵して、いわゆる裏番組の録画が可能なように構成されている。このため、この例のテレビ受像機は、チューナを二つ有する、いわゆるダブルチューナの構成の場合とされている。ただし、チューナの一方はＰｉｎＰの子画面に画像を表示するためと、録画用のソースとして用いられるようにされている。したがって、ＰｉｎＰの親子画面の切り換え機能は有していない。
【００１５】
以下の説明においては、ＰｉｎＰおよび録画用の信号系はサブとし、その他はメインの信号系として説明する。
【００１６】
図１おいて、１Ｍはメインチューナ、１Ｓはサブチューナである。アンテナで受信された放送電波は分配され、これらメインチューナ１Ｍおよび１Ｓに供給される。これらチューナ１Ｍおよび１Ｓでは、後述するマイクロコンピュータによって構成される制御回路１００からの選局制御信号によって、所定のプログラム対応チャンネルの選局が行なわれる。この場合、選局制御信号は、ユーザのリモートコマンダなどを通じた選択操作に応じて制御回路１００で生成される場合と、後述する高頻度受信番組の自動録画の場合や、高頻度受信番組のＰｉｎＰの子画面表示のためなどのように、ユーザの選択操作に関係なく、制御回路１００自身において生成される場合とがある。
【００１７】
これらチューナ１Ｍおよび１Ｓは、選局した放送波信号を、映像中間周波信号に変換して、それぞれ映像中間周波および検波回路２Ｍおよび２Ｓに供給する。そして、これら回路２Ｍおよび２Ｓにおいて、中間周波信号が増幅されると共に、ビデオ信号およびオーディオ信号が復調される。
【００１８】
映像中間周波および検波回路２Ｍからの復調されたビデオ信号は、スイッチ回路ＳＷ１の一方の入力端ＴＶに供給され、また、復調されたオーディオ信号はスイッチ回路ＳＷ３の一方の入力端ＴＶに供給される。
【００１９】
また、映像中間周波および検波回路２Ｓからの復調されたビデオ信号は、録画再生装置部１０にその録画ソースとして供給されると共に、スイッチ回路ＳＷ２の一方の入力端Ｓに供給される。映像中間周波および検波回路回路２Ｓからの復調されたオーディオ信号は、録画再生装置部１０にのみ供給される。これはＰｉｎＰとして表示される子画面の音声は、一般に再生されないためである。
【００２０】
そして、録画再生装置部１０からの再生ビデオ信号は、スイッチ回路ＳＷ１の他方の入力端ＶＴおよびスイッチ回路ＳＷ２の他方の入力端ＶＴに供給される。さらに、録画再生装置部１０からの再生オーディオ信号は、スイッチ回路ＳＷ３の他方の入力端ＶＴに供給される。
【００２１】
スイッチ回路ＳＷ１、ＳＷ２、ＳＷ３は、制御回路１００からの切り換え信号によって、切り換えられる。スイッチ回路ＳＷ１とスイッチ回路ＳＷ３とは、メインチューナ１Ｍからの信号を選ぶか、録画再生装置部１０からの再生信号を選ぶかの切り換え回路であり、これらの回路ＳＷ１，ＳＷ３に対する切り換え信号は共通である。
【００２２】
すなわち、メインチューナ１Ｍで選局した放送番組をユーザが視聴したいとして、後述するリモコンにより選択操作を行なったときは、スイッチ回路ＳＷ１およびＳＷ３は、一方の入力端ＴＶ側に切り換えられ、録画再生装置部１０を再生モードとして、その再生されたビデオ信号およびオーディオ信号を視聴しようとユーザが選択操作したときには、スイッチ回路ＳＷ１およびＳＷ３は、他方の入力端ＶＴ側に切り換えられる。
【００２３】
また、スイッチ回路ＳＷ２は、ＰｉｎＰの子画面としてサブチューナ１Ｓで選局された番組のビデオ信号を選択するか、録画再生装置部１０の再生ビデオ信号を選択するかの切り換え回路であって、ユーザがＰｉｎＰの子画面としてサブチューナで選局したものを選択するときには、一方の入力端Ｓ側に切り換えられ、録画再生装置部１０の再生ビデオ画面を視聴するときには、他方の入力端ＶＴ側に切り換えられる。
【００２４】
スイッチ回路ＳＷ１から得られるビデオ信号は、映像信号処理回路３Ｍを介してＰｉｎＰ合成回路４に供給される。また、スイッチ回路ＳＷ２から得られるビデオ信号は、映像信号処理回路３Ｓを介して、このＰｉｎＰ合成回路４に供給される。映像信号処理回路３Ｓでは、ＰｉｎＰの子画面として表示するように、その入力ビデオ信号の画サイズを圧縮する処理を行なう。
【００２５】
そして、ＰｉｎＰ合成回路４には、制御回路１００から、ＰｉｎＰ表示を行なうときに、その制御信号が供給され、映像信号処理回路３Ｓからのビデオ信号が、子画面として重畳されるように合成される。ＰｉｎＰ表示が行なわれないときには、このＰｉｎＰ合成回路４では映像信号処理回路３Ｍからのビデオ信号をそのまま出力する。
【００２６】
ＰｉｎＰ合成回路４からのビデオ信号は重畳表示処理回路５に供給される。この重畳表示処理回路５には、後述する文字、図形等の信号が供給され、画面にスーパーインポーズや、警報マークなどの状態で重畳表示されるような処理が、この重畳表示処理回路５に制御回路１００から供給される制御信号によって、適宜行なわれる。重畳表示すべき信号は、後述するように、制御回路１００の制御に従って発生するものである。この重畳表示処理回路５からのビデオ信号は、この例では、ＣＲＴディスプレイ６に供給されて、その画面にチューナ１Ｍ，１Ｓで受信された放送番組の画像や録画再生装置部１０の再生信号による画像がカラー表示される。
【００２７】
また、スイッチ回路ＳＷ３から得られたオーディオ信号は、音声処理回路７を介してオーディオアンプ８に供給され、スピーカ９によって再生される。この例においては、制御回路１００からの制御信号によって、このアンプ８において、再生音声の音量コントロールや音質コントロールが行なわれるものである。
【００２８】
録画再生装置部１０は、この例では、８ミリビデオ等の磁気テープを記録媒体としたビデオテープレコーダと同等の構成により実現されており、その構成は、周知であるので省略する。
【００２９】
次に、制御回路１００について説明する。なお、この例のテレビ受像機は、ＡＣコンセントに接続された状態で、いわゆる主電源スイッチがオンとされると、リモートコマンダによる電源のオン・オフが可能になり、主電源スイッチが投入された状態では、この制御回路１００は、常に動作状態になっている。
【００３０】
前述もしたように、この制御回路１００は、マイクロコンピュータを備える構成となっており、システムバス１０２に対して、ＣＰＵ１０１と、ＲＯＭ１０３と、ＤＲＡＭ１０４と、ＳＲＡＭ１０５とが接続されている。また、このシステムバス１０２に対して、Ｉ／Ｏポート１１１〜１１７が接続され、種々の信号が入出力されるようにされている。
【００３１】
例えば、メインチューナ１Ｍおよびサブチューナ１Ｓに対しては、Ｉ／Ｏポート１１１を介して選局制御信号が供給される。また、制御回路１００から録画再生装置部１０に対して、記録開始、再生開始、停止、その他の制御コマンドがＩ／Ｏポート１１２を介して供給され、あるいは、この録画再生装置部１０から、そのモードの状態信号が、このＩ／Ｏポート１１２を介して制御回路１００に取り込まれる。スイッチ回路ＳＷ１、ＳＷ２、ＳＷ３への切り換え制御信号はＩ／Ｏポート１１３から供給される。
【００３２】
また、１１は時計回路であって、これは現在時刻を刻むと共に、この例では、後述するように、ＲＯＭ３０３のプログラムを割り込みで起動するときの、その割り込みタイミング信号を生成するタイマーの役割をもしているものである。この時計回路１１には、テレビ受像機の電源スイッチがオフであっても電源電圧が投入されている。この例では、図示しないが、時計回路１１は、電池や充電池などの別電源からその電源電圧が投入される。この時計回路１１からの時刻情報およびタイマー情報がＩ／Ｏポート１１４を介してシステムバス１０２に取り込まれる。
【００３３】
また、ＣＰＵ１０１によるプログラムの実行によって、時計回路１１の時刻修正などが行なわれる。この時計回路１１は、時、分、秒だけではなく、年、月、日、曜日までも情報として有するものである。もっとも、この実施形態の場合、曜日と時刻の情報さえあれば、後述するチャンネル履歴情報と対応させる時間パラメータとしては充分である。
【００３４】
なお、この明細書において、チャンネル履歴情報とは、曜日と時刻とに対応付けられて、メモリ（後述するＳＲＡＭ１０５）に記憶されるチューナ１Ｍのプログラム対応チャンネルの選択状況の情報（つまり、例えば過去のある曜日のある時刻にはチューナ１Ｍで何チャンネルを選局していたかの情報）であり、この例では、複数週間分の情報である。
【００３５】
ＰｉｎＰ合成回路４およびアンプ８には、Ｉ／Ｏポート１１５を介して制御信号が供給される。
【００３６】
また、重畳表示処理部５に対して、重畳表示を行なうか否かの作業信号はＩ／Ｏポート１１６を介して供給される。この、重畳表示の例としては、チャンネル切り換え時に、何チャンネルに切り替わったかをチャンネル番号で示す表示や、現在の受信チャンネルの表示、音量がどの程度大きくなったかをバー表示で知らせる場合の表示のほか、後述するようなメッセージ表示が挙げられる。
【００３７】
この重畳表示のため、システムバス１０２に対しては、ビデオＲＡＭ１２が接続されている。このビデオＲＡＭ１２には、ＲＯＭ１０３に記録されているキャラクター情報を用いて制御回路１００で形成された文字情報や、記号情報などが一旦蓄えられ、それが画面への重畳表示用として、ＣＰＵ１０１のプログラム制御に従って、ディスプレイコントローラ１３を介して重畳表示処理装置５に供給される。
【００３８】
この場合、ＲＯＭ１０３には重畳表示に必要な文字や記号のフォントデータや、イメージデータが蓄えられており、ＣＰＵ１０１によって、プログラムに従って、必要な文字や記号のフォントデータやイメージデータが読み出され、ビデオＲＡＭ１２の任意のアドレスに転送され、ディスプレイコントローラ１３を介して、重畳表示処理部に供給されることによって、このビデオＲＡＭのイメージデータがビデオ信号と合成され、ＣＲＴディスプレイ６の画面に適宜の時間にわたって表示されることになる。
【００３９】
重畳表示としては、いわゆるスーパーインポーズ等のオーバーレイ処理を施し、ＣＲＴディスプレイ６に表示するようにする。
【００４０】
また、この例のテレビ受像機は、リモートコマンダ１４によって各種の制御が、いわゆるワイヤレスで行なわれるようにされており、このリモートコマンダ１４から、例えば赤外線によるリモコン信号が発生すると、これがテレビ受像機側のリモコン信号受信／デコード部１５で受光され、その受光されたリモコン信号がデコードされ、そのデコード信号がＩ／Ｏポート１１７を介してシステムバス１０２に供給されるようになっている。
【００４１】
ＣＰＵ１０１は、このＩ／Ｏポート１１７を介して取り込まれたリモコン信号を解釈し、プログラム対応チャンネルの選局、音量制御、ＰｉｎＰ合成制御、重畳表示制御、スイッチＳＷ１〜ＳＷ３の切り換え制御、録画再生装置部１０のモード制御などを行なうようにしている。
【００４２】
ＤＲＡＭ１０４は、主として演算などのワークエリアとして使用される。電源スイッチのオン、オフによるチャンネルや音量のラストメモリ機能や、後述するチャンネル履歴情報の保持のための記録領域としては、ＳＲＡＭ１０５が使用される。この例の場合、ＳＲＡＭ１０５は、いわゆる電池による電源バックアップとされた不揮発性メモリの構成とされている。したがって、テレビ受像機が電源オフの状態でも、このＳＲＡＭ１０５の内容はバックアップされており、消えてしまうことがない。
【００４３】
［チャンネル履歴情報の作成処理の第１の実施形態］
この例では、チャンネル履歴情報は、一定時間おきにメインチューナＩＭの選局状態をサンプリングし、その時の選局プログラム対応チャンネルをＳＲＡＭ１０５に書き込んで記憶するようにする。
【００４４】
この実施形態の場合には、時計回路１１からのタイマー情報により、一定間隔毎に割り込み処理として、プログラム対応チャンネルの選局状態をサーチする処理をメインチューナ１Ｍに対して行ない、その時点におけるチューナ１Ｍのプログラム対応チャンネルの選局状態をＳＲＡＭ１０５に記憶する。
【００４５】
この例のチャンネル履歴情報の作成方法においては、ＣＰＵ１０１は、一定間隔毎の割り込みであるので、絶対時間情報として開始の時点のみ知れば、それからの時間経過として各サンプリング点の時間を知ることができるので、それぞれのサンプリング時点の時間情報は、ＳＲＡＭ１０５にそのまま記憶しておく必要はない。
【００４６】
図２および図３は、この場合のチャンネル履歴情報の管理方法のイメージ図を示すもので、ＳＲＡＭ１０５のチャンネル履歴情報のメモリエリアをイメージ化したものである。図２Ａ、図２Ｂおよび図３において、矢印で示す位置は、ポインタＰの位置である。このポインタＰは、現在、どの時点のメモリエリアであるかを示すものであって、図３に示すように、イメージ的にはＳＲＡＭ１０５のメモリエリアはチャンネル履歴データとしては、リング構造の管理を行なうものである。
【００４７】
この例においては、現時点よりも以前のｎ（ｎは２以上の整数）週間のチャンネル履歴情報をＳＲＡＭ１０５に常に記憶するようにするもので、ｎ週間前よりも古い情報を捨てながら、順次に新しいチャンネル履歴情報を逐次に蓄積するようにするものである。
【００４８】
すなわち、この例においては、例えば１０分毎にチューナ１Ｍに対してチャンネル履歴取得のための走査を行ない、その結果得られたチャンネル履歴の情報は、図２に示すように、１０分間隔で連続したアドレス空間によって管理される。そして、図３に示すようなリング構造の記憶エリアがいっぱいになったとき、図２Ｂに示すように、最も古いチャンネル履歴データを破棄し、新規に取り込んだ現在のチャンネル履歴データを、メモリに格納していくような記憶方法を取る。
【００４９】
この場合、このＳＲＡＭ１０５に記憶されるチャンネル履歴データは、前述したように少なくとも複数週間分にわたって記憶される。そして、ＣＰＵ１０１は、ＳＲＡＭ１０５のこのチャンネル履歴データを、曜日毎に管理できるようになっている。これは、１０分間隔であれば、その１４４倍が１日分であり、その７倍が一週間であることから、チャンネル履歴データの個数を計数するだけで簡単に管理することができるからである。
【００５０】
この場合、前述した割り込み処理によるチャンネル履歴データの取り込みは、××時０１分、××時１１分、××時２１分、××時３１分などのように、実際に番組が始まった時間に起動される。
【００５１】
ＳＲＡＭ１０５のチャンネル履歴データの格納エリアへのチャンネル履歴データの記憶に先立ち、このエリアは初期化される。つまりクリアされる。これと同時に履歴記憶用の前記ポインタ位置も、初期化されることになる。この初期化によって、過去の履歴情報はクリアされるので、この初期化の設定は、例えばテレビ受像機において、リモコンデータとプログラム放送チャンネルとの割り付けや、時計回路１１への現在時刻の登録などの契機に行なわれるものである。
【００５２】
ここで、リモコンボタンとプログラム放送チャンネルとの割り付けとは、例えば、ユーザがリモコンボタンの特定のチャンネルを、いずれかのプログラム対応チャンネル（放送局）に割り付けるような操作のことである。一般に、このチャンネル設定などはテレビ受像機の購入時に行なわれるが、適宜、ユーザによって行なわれる場合もある。
【００５３】
なお、この例の場合、リモートコマンダ１４には、チャンネル履歴リセットボタンが設けられており、このリセットボタンを押すことにより、ＳＲＡＭ１０５のチャンネル履歴エリアの内容を、上述と同様に初期化することができる。これは、一般に、例えば日本のテレビ放送の場合、春と秋とで番組内容が大幅に変更されることを考慮し、その番組変更の時に、ユーザによってリセットされることにより、番組変更されたにも拘らず、過去の履歴によりユーザによる高頻度視聴チャンネルとして、誤って選択されてしまうことがないようにするためのものである。
【００５４】
次に、この例の場合のチャンネル履歴の記録動作について、図４のフローチャートを参照しながら説明する。
すなわち、この例の場合、前述したような実際に放送が行なわれていると考えられる１０分おきの時間で割り込みがかかると（ステップＳ０）、このチャンネル履歴データの取り込み処理ルーチンが起動される。
【００５５】
そして、次のステップＳ１において、ＳＲＡＭ１０５のチャンネル履歴メモリ空間においてポインタを更新する。このポインタの更新は、新しいデータエリアの確保になり、このステップＳ１では、当該新たに確保されたデータエリアをヌルクリア（０にする）する処理も同時に行なう。この例の場合、ＳＲＡＭ１０５のチャンネル履歴のメモリエリアは、前述したようにリング状の管理が行なわれているので、リング状のチャンネル履歴データエリアがいっぱいになった後には、ポインタの更新の処理には、最も古いチャンネル履歴データの破棄を伴うことになる。
【００５６】
そして、この場合、ポインタの更新による新しいデータエリアのアドレスが、リング状メモリエリアの最終アドレスを越えてしまう場合には、ポインタを先頭アドレスにリセットする。
【００５７】
この場合、テレビ受像機の主電源スイッチがオンである間は、ステップＳ０を通じての、この例の場合には、１０分毎に起動がかかるが、テレビ受像機の主電源スイッチがオフである間は、この図４の処理ルーチンへの割り込み処理は起動されない。そこで、この例では、時計回路１１は別電源で動作しているので、その時間情報を用いて、このステップＳ１においては、次の主電源オンの後の最初の割り込みタイミングで、主電源オフである間に行なわれるべき、チャネル履歴エリアの更新処理が行なわれる。
【００５８】
すなわち、この例では、ＳＲＡＭ１０５に主電源スイッチがオフされる直前に行なわれた割り込みタイミングの時間を保持するようにしておく。そして、その後、テレビ受像機の主電源スイッチがオンとされ、割り込みタイミングとなったときには、ＳＲＡＭ１０５の前記主電源スイッチがオフされる直前に行なわれた割り込みタイミングの時間を参照して、その間に行なわれるべき割り込み回数を検知し、その割り込み回数分のポインタの更新と、更新される個数分の各データエリアのすべてをヌルクリアするようにする。そして、現時点における割り込みタイミングに対応するデータエリアまでの更新を行なう。
【００５９】
こうして、ポインタの更新と新しいデータエリアの確保が行なわれると、ステップＳ２に進み、現在、放送を視聴中か否かをチェックする。すなわち、録画再生装置部１０が再生モードであって、これを視聴している場合には、ここで言うテレビの視聴とはしない。
【００６０】
そして、放送波の視聴が行なわれている場合には、ステップＳ２からステップＳ３に進み、そのときにチューナ１Ｍで選択されているプログラム対応チャンネルの情報を新しく確保したデータエリアに記憶する。この記憶するプログラム対応チャンネルの情報内容としては、チャンネル番号でも良いし、あるいはチューナ１Ｍに供給された選局制御データであっても良い。
【００６１】
一方、放送波の視聴が行なわれていないとステップＳ２で判断されたときには、ステップＳ４に進み、新しく確保されたデータエリアに「０」をセットする。なお、この例では、前述のステップＳ１でのテレビ受像機の主電源オフの間に対する処理により、テレビ受像機に主電源が投入されていない場合も、同様にしてチャネル履歴のデータエリアには「０」が保持されており、この状態も、テレビ放送の視聴が行なわれていない状態とされることになる。
【００６２】
ステップＳ３あるいはステップＳ４の処理を終了した後には、ステップＳ５からこのルーチンを終了する。
【００６３】
こうして、この例では、ＳＲＡＭ１０５の複数週間分のチャンネル履歴エリアに、１０分毎に、その時点で視聴されている放送波のプログラム対応チャンネルの情報が、新しい履歴として残されていく。そして、前述もしたように、この複数週間分のチャンネル履歴エリアがいっぱいであるときには、古い履歴を捨てながら、新しいチャンネル履歴情報が逐次書き込まれてゆく。
【００６４】
図５は、１日分のチャンネル履歴情報を、また、図６は３週分のチャンネル履歴情報を、それぞれテーブルの形式で表した例を示すものであり、各チャンネル履歴データエリアＤchには、この例ではプログラム対応チャンネル番号の情報が記憶されている。なお、データエリアＤchの左横に示した時刻は、各チャンネル履歴データの取り込み時刻であって、この例の場合には、これらの時刻は、前述したように、データエリアＤchに記憶する必要はない。
【００６５】
この例では、後述する高頻度視聴チャンネルの存否の判定のためにチャンネル履歴情報を参照するに当たって、チャンネル履歴情報を取り込んだ時点の前後が、そのチャンネルを視聴している確立が高いとして判断するようにしている。このチャンネル履歴データの取り込み時点の前後の間隔としては、たとえば前述の１０分間隔でチャンネル履歴データを取り込む場合であれば、±５分となるものである。
【００６６】
この実施形態の場合には、１０分単位でチャンネル履歴が更新されるので、１日では６×２４＝１４４個の履歴データが格納される。したがって、一週間では１４４×７＝１００８個の履歴データが記録されることになる。この場合に、１つのチャンネル履歴データを１バイト長とすると、１週間で１００８バイトとなる。前述したように、複数週間分の履歴を取る必要があるので、１００８バイトの整数倍分のメモリエリアが、ＳＲＡＭ１０５にチャンネル履歴エリアとして設定されることになる。
【００６７】
前述もしたように、この例の場合には、チャンネル履歴データのテーブルは、図５および図６に示すようなものであり、１日および１週間当たりの履歴データ数が定まっているので、現時点から１週間前、２週間前のように相対的な時間関係にあるデータエリアがわかれば、過去の同一時刻のチャンネル履歴データが容易に得ることができる。したがって、ＳＲＡＭ１０５に記憶するチャンネル履歴情報としては、前述したように、各履歴データの取り込み時刻の絶対時間の情報は必要ではない。しかし、時計回路１１には、絶対時刻が設定されている必要である。高頻度視聴チャンネルがあるか否かの検査時は、チャンネル履歴をこの時計回路１１に示される時刻を基準として、チャンネル履歴情報のテーブルを参照することになるからである。
【００６８】
したがって、時計回路１１の現在時刻の設定がやり直されたときには、この時計回路１１から割り込みタイマー情報も得ていることも相俟って、チャンネル履歴メモリ（チャンネル履歴テーブル）およびそのポインタについては、前述の初期化が行なわれる。
【００６９】
なお、以上の例では、時間経過に伴ってポインタを一定量ずつ更新するようにしたので、テレビ受像機の主電源がオフである間は、前述したように、ポインタの更新とデータエリアのヌルクリアが繰り返されることになる。そこで、テレビ受像機の主電源スイッチがオフからの、次の主電源オン時に、この主電源オフの間に行なわれるべき割り込み回数を検知し、チャンネル履歴メモリエリアに記録するデータとしては、その回数分のヌルデータの連続を表すコード、例えば１６進表示で［ＦＦ＊＊］（＊＊はヌルデータの個数を表す）を記録するようにして、メモリエリアの節約を計るようにすることもできる。
【００７０】
なお、以上の例では、１０分間隔で、チャンネル履歴情報の取り込みを行なうようにしたが、１５分毎、３０分毎でもよく、また、チャンネル履歴情報のメモリエリアが十分に大きい場合には、１分毎や５分毎でもよい。ただし、番組の放送時間が３０分または６０分単位であることから、この例のように周期的にチャンネル履歴情報の取り込みを行なう場合には、８分毎や９分毎などの単位外れが生じるようなタイミングでないほうがよい。
【００７１】
また、常に一定の時間間隔で、チャンネル履歴情報の取り込みを行なうのではなく、一般に視聴率の高いプライムタイムと呼ばれる時間帯は、細かい周期でチャンネル履歴情報の取り込みを行ない、その他の時間は粗い周期で取り込みを行なうようにしてもよい。
【００７２】
［第１の実施形態の場合の高頻度視聴チャンネルの処理］
次に、この第１の実施形態の場合の、チャンネル履歴情報を用いた高頻度視聴番組に関する処理について説明する。
【００７３】
この場合、前述したチャンネル履歴データの取り込み処理タイミングとは、異なるタイミングで過去のチャンネル履歴を調べ、高頻度で視聴しているプログラム対応チャンネルがあるか否かを調べる。ここで、異なるタイミングとは、前述のチャンネル履歴データの取り込み処理タイミングが、実際に番組が始まっている時間に起動することが好適であるのに対して、過去の履歴を調べて適当な処理を行なう場合には、番組が実際に始まるタイミングあるいはその直前で起動したほうがよいということに起因する。
【００７４】
すなわち、前述したチャンネル履歴データの取り込みは、××時０１分、××時１１分、××時２１分、××時３１分などのように、実際に番組が始まった時間に起動される。これに対して、過去の履歴を用いた以下の処理は、××時００分、××時１０分、××時２０分、××時３０分あるいは××時２９分、××時５９などのように番組が始まるタイミング、あるいはその直前が好ましい録画を開始あるいは終了するタイミングで起動させるものである。
【００７５】
また、この例においては、過去に高頻度で視聴しているプログラム対応チャンネルがあっても、予約録画による録画が行なわれている場合や、録画予約による予約時刻待ちの状態になっている場合には、その予約された番組を優先するようにする。したがって、この例においては、磁気テープを記録媒体とするＶＴＲ部を録画再生装置部１０としているので、録画予約が行なわれている場合には、以下に説明する処理は起動させないようにする。そして、録画予約された内容が終了した後、ユーザは再起動を行ない、予約録画によって録画される内容が、後述するような自動録画（高頻度視聴チャンネルがあるときに、自動的にそれを録画すること。以下同じ）によるオーバーライトによって、消えてしまうことがないように考慮されている。
【００７６】
また、録画再生装置部１０にセットされた記録媒体に、録画可能な空き領域が無い場合にもこの処理は起動されない。
【００７７】
次に、チャンネル履歴データを用いて、過去の履歴を集計し、自動録画を行なう処理について、図７のフローチャートを参照しながら説明する。
【００７８】
まず、前述したように、チャンネル履歴の取り込みタイミングと異なるタイミングで一定周期の割り込みがかかると（ステップＳ１０）、この処理ルーチンが起動される。
【００７９】
そして、ステップＳ１１に進み、現時点と、同曜日、同時刻の過去のチャンネル履歴を、ＳＲＡＭ１０５のチャンネル履歴データテーブルを参照して調べる。そして、その時刻にいつも見ているプログラム対応チャンネル（高頻度視聴チャンネル）があるか、そして、そのプログラム対応チャンネルは何チャンネルであるかの情報を抽出する。
【００８０】
この場合、高頻度視聴チャンネルがあるかどうかの判定は、予め設定されていた頻度のスレッショールド値を越えたか否かでにより判定されるものである。すなわち、高頻度視聴チャンネルとは、テレビ受像機に電源が入っている状態と、いない状態とを含めて、所定パーセント以上視聴されているチャンネルの意味であり、電源が入っていない場合の履歴の影響をできるだけ除去するようにしている。つまり、この例の場合、過去にその時刻でテレビ電源がオフで、放送を見ていない場合には、０と設定されてしまうが、それも視聴頻度の回数を計算するときのデータとする。
【００８１】
たとえば、過去３週間にわたって、チャンネル履歴を保存しておくのであれば、そのうちの２週間連続して視聴されたチャンネルがあれば、それを高頻度視聴チャンネルとして判定し、いつもはテレビを見ていないが、１回でも、あるチャンネルを選局した履歴があれば、それをいつも見ているチャンネルとするわけではない。
【００８２】
なお、このように過去の履歴から高頻度視聴チャンネルを判断する上で、ＳＲＡＭ１０５に設定されるチャンネル履歴情報のメモリエリアの大きさは、放送局の番組替えの期間を越えないような容量とするほうが都合がよい。たとえば、日本の放送局では１年を４クールに分けて、その都度、番組編成を行なっているので、最大３カ月分の履歴を過去の情報としてＳＲＡＭ１０５に取り込むようにするほうがよい。
【００８３】
次に、ステップＳ１１からステップＳ１２に進み、テレビ受像機の録画再生装置部１０で、既に自動録画が行なわれているかどうかをチェックする。前述したように、ここで言う自動録画とは、いつもの高頻度チャンネルを録画することであり、ユーザが設定した時刻に番組を録画する予約録画ではない。
【００８４】
ここで、自動録画中でなければ、ステップＳ１５に飛ぶ。また、ステップＳ１２において、自動録画中であると判断されれば、ステップＳ１３に進んで、ステップＳ１１でのチャンネル履歴データの調査結果を参照して、高頻度視聴チャンネルがない時間になったか、あるいは、高頻度視聴チャンネルがあっても、その高頻度視聴チャンネルが現在自動録画されているチャンネルとは異なっていないかどうかをチェックする。
【００８５】
どちらでもない場合には、自動録画中の高頻度視聴チャンネルは、その割り込みタイミングでも、過去に高頻度視聴チャンネルとされていたことを示すので、自動録画を続け、ステップＳ１５に飛ぶ。
【００８６】
また、ステップＳ１３で高頻度視聴チャンネルでない時間になった場合、また、高頻度視聴チャンネルが履歴テーブルから検出されても、それが自動録画中のものとは異なったチャンネルとなっている場合には、ステップＳ１４に進み、録画再生装置部１０における自動録画を中止する。そして、ステップＳ１５に進む。
【００８７】
ステップＳ１５では、ステップＳ１１でのＳＲＡＭ１０５のチャンネル履歴データの調査結果を参照して、同時刻にいつも見ている高頻度視聴チャンネルがあるかないか判定し、なければステップＳ２３からこの処理ルーチンを抜け、終了する。
【００８８】
このステップＳ１５において、図６のチャンネル履歴テーブルを参照して、過去の履歴から高頻度視聴チャンネルを判定する場合を説明する。前述したように、この例は、３週間分の履歴が存在している場合として示してあり、図７のフローチャートが起動される割り込み処理タイミングと同じ曜日、同じ時刻の過去の視聴履歴が参照される。そして、この同じ曜日、同じ時刻で、一定パーセント以上の視聴頻度があるプログラム対応チャンネルがあった場合に、それを高頻度視聴チャンネルと判定する。
【００８９】
したがって、図６の例においては、００時２１分の場合には、放送番組を視聴していないことを示す「０」が２週間分あり、先々週に１０チャンネルを見ていたため、これが最も多い視聴チャンネルとなっているが、視聴頻度が３分の１であるので、いつも見ているチャンネル、つまり高頻度チャンネルとされない。
【００９０】
一方、現在時刻が１９時０１分の場合においては、１２チャンネルが３週間とも選択されているので、これが高頻度視聴チャンネルとして判定されることになる。このように、毎週見ている、つまり１００％の割合で見ているチャンネルを高頻度視聴チャンネルとするのではなく、たとえば３分の２（６６％）以上を高頻度視聴チャンネルと判定するようにしてもよい。
【００９１】
そして、ステップＳ１５で高頻度視聴チャンネルがあると判断された場合には、ステップＳ１６に進み、テレビ受像機に電源が投入されており、番組を視聴中かどうかをチェックする。そして、放送波を視聴中であれば、ステップＳ１７に進み、現在視聴しているプログラム対応チャンネルが、ステップＳ１５で検出した高頻度視聴チャンネルか否かをチェックする。
【００９２】
同じチャンネルであれば、ステップＳ２３からこのルーチンを抜け、終了する。もし、違ったチャンネルであれば、ステップＳ１８に進み、ユーザに注意を喚起するメッセージ、例えば「いつもはＡチャンネルを見ています。」などの文字表示や、高頻度視聴チャンネルが他にあることを示すアイコンなどの絵記号をディスプレイに表示する。
【００９３】
これと同時に、制御回路１００は、サブチューナ１Ｓに対して、高頻度視聴チャンネルを選局するための選局制御信号を供給し、ディスプレイに、ＰｉｎＰの子画面として、その高頻度視聴チャンネルで受信された映像内容を一定時間表示する。つまり、いつも見ている高頻度視聴チャンネルの映像を一定時間ＰｉｎＰ表示する。
【００９４】
ユーザは、ディスプレイのメッセージや絵記号により、いわゆる裏番組にいつも見ている番組があることを知り、かつ、その番組内容をＰｉｎＰの子画面において知ることができる。
【００９５】
そして、ステップＳ１９に進み、ユーザが、高頻度視聴チャンネルを選択する選局操作をせずに一定時間経過したか否かを検知する。もしも、ユーザが高頻度視聴チャンネルに、現在メインチューナ１Ｍで視聴するチャンネルを変更した場合には、ステップＳ２３からこの処理ルーチンを抜ける。ＰｉｎＰの表示は、適宜、ユーザが消去する。
【００９６】
一方、一定時間経過しても、ユーザがチャンネル切り換えを行なわない時には、ＰｉｎＰにおける子画面表示を消去し、ステップＳ２１に進む。また、ステップＳ１６で、高頻度視聴チャンネルがあるにもかかわらずテレビ放送波を視聴中でないと判断された場合にも、ステップＳ２１に進む。
【００９７】
ステップＳ２１では、録画再生装置部１０で録画中であるか否かを判定する。つまり、高頻度視聴チャンネルの自動録画が始まっていたり、あるいは、録画再生装置部１０で予約された番組の録画が行なわれていたり、ユーザの強制操作によって、録画状態にされているか否かを検知する。
【００９８】
もし、録画再生装置部１０が録画状態であれば、この録画状態を優先して、ステップＳ２１からステップＳ２３に飛び、このルーチンを抜ける（ステップＳ２２）。ステップＳ２１で録画中でないと判定されたときには、録画再生装置部１０において、ステップＳ１５で判定された高頻度視聴チャンネルの録画を開始する。この場合の録画ソースは、前述したようにサブチューナ１Ｓである。このため、もしもテレビ受像機に電源が入っていない場合は、ディスプレイの部分への電源供給は行なわないが、サブチューナ１Ｓ、映像中間周波増幅および検波部２Ｓと、録画再生装置部１０とに電源が投入され、録画処理が行なわれる。
【００９９】
図８は、ステップＳ１８で行なわれるメッセージの表示例であり、この例では、１０チャンネルをユーザが視聴中であるときに、いつもは、同時刻に高頻度視聴チャンネルとして４チャンネルを視聴していることの注意喚起を行なっている。また、図９は、ステップＳ１８で行なわれるメッセージおよびＰｉｎＰによる子画面表示を示す例であり、図８の場合の高頻度視聴チャンネルである４チャンネルの番組内容がＰｉｎＰの子画面に表示されている。
【０１００】
なお、以上のようにして自動録画が行なわれた場合に、ＣＰＵ１０１はその自動録画を行なった履歴を、ＳＲＡＭ１０５に記憶しておき、これを随時読み出して、図１０に示すように、録画履歴内容を表示するようにする。
【０１０１】
すなわち、ＣＰＵ１０１は自動録画を開始したタイミングと、その録画の終了時刻およびチャンネル情報をＳＲＡＭ１０５に順次記憶していく。そして、ユーザは、例えばリモートコマンダの録画履歴呼出ボタンを操作すると、図１０の画面が呼び出される。そして、この図１０の画面において、リモートコマンダのアップダウンカーソルキーによって選択した録画内容を再生して、番組を楽しむことができる。
【０１０２】
なお、以上説明した例の場合は、それぞれ１回選局したチャンネルをそのまま頻度１とするようにしたが、ユーザの好みによって特に視聴したい番組については、頻度データに重み付けを施すようにするとよい。この重み付けのためには、リモートコマンダに、ユーザが視聴チャンネルについて重み付けを行なうための重み付けボタンを設けるようにする構成とする。
【０１０３】
また、後述するデジタルテレビ放送の場合には、番組選択時のメニュー選択の時のユーザの番組選択の動向により、視聴頻度についての重みづけをするようにしてもよい。例えば、あるユーザはニュースやドラマを選択することが多いという場合には、ニュースやドラマについてのチャンネル履歴は１回選択すると、これを２倍、２回選択したのと同様とするように、頻度情報に重み付けをするようにするとよい。
【０１０４】
また、上述の例では、ＶＴＲを録画再生装置部１０に使用するようにしたが、録画再生装置部１０の入力側にＡ／Ｄコンバータを設け、出力側にＤ／Ａコンバータを設けることによって、光磁気ディスクにデジタルデータとして記録を行なうようにしてもよい。このように、ディスクにビデオ信号およびオーディオ信号を記録し、再生する場合であれば、録画内容は、シーケンシャルに記憶されるわけではないので、録画予約によって記録された部分だけをオーバーライト禁止にして、自動録画を続けることもできる。
【０１０５】
したがって、録画再生装置部１０として前述したＶＴＲを使用する場合のように、録画予約が行なわれていたとき等に、自動録画を行なわない処理をする必要がなく、また録画終了を待ってユーザが再起動を行なう必要もない。
【０１０６】
また、記録媒体としてディスクを使用する場合には、ディスクに空きが無いとき、前述したように、録画を行なわないという方法と、オーバーライト（以前の記録部分に重ねて記録）してしまうという２つの仕様が可能である。しかし、前者の場合、記録媒体に充分な容量が無くなってしまったあとでは、その後に最も録画しておきたかった番組が放送されても録画できなくなってしまう。また、後者の場合でも、最も録画しておきたかった番組を録画した後で、その後で自動録画が行なわれると、その内容が消去されてしまうことがある。
【０１０７】
そこで、自動録画する際に、前に自動録画された番組の視聴頻度と、これから録画しようとする番組の視聴頻度の比較を行ない、より高い視聴頻度の番組を残すように、オーバーライトするか、しないかを判断するようにする。このように構成すると、視聴者の要求に応じた録画を行なうことができ、非常に便利である。
【０１０８】
また、記録媒体の容量にも因るが、その容量が小さい場合には、自動録画する時間の範囲を、例えば夜間のみ、あるいは昼間のみ、などのようにしておいたり、あるいはボタン操作によって自動録画をオン・オフさせるようにしたりすることによって、録画容量を節約することができる。
【０１０９】
なお、上述の実施形態では、記録再生装置部はテレビ受像機の内部に内蔵させたが、テレビ受像機にコントロール信号端子を有するＶＴＲ用のコネクタジャックを設け、これに接続されたＶＴＲに対して、録画コマンドと、高頻度視聴チャンネルを選局する選局制御信号とを、テレビ受像機の制御回路１００から送るようにすれば、記録再生装置部は外部のものであってももちろんよい。
【０１１０】
［チャンネル履歴情報の作成処理の第２の実施形態］
以上の第１の実施形態では、一定時間周期でチューナ１Ｍの選局状態を走査し、チャンネル履歴データを作成するようにしたが、この第２の実施形態では、ユーザが選局操作をしたときに、その選局内容をチャンネル履歴データとしてメモリに取り込み、また、その選局操作タイミングで過去の履歴データを参照して、高頻度視聴チャンネルがあったか否かを判定し、前述のように自動録画、あるいはメッセージ表示をするように構成する。
【０１１１】
すなわち、ユーザのリモートコマンダによる選局操作や、テレビ受像機に設けられているチャンネル選択ボタンの押下の契機で、選択されたチャンネル番号と、その時点の時刻情報等とを、ＳＲＡＭ１０５のチャンネル履歴テーブルとして記録する。この場合には、任意のタイミングで選局操作が行なわれることから、選局されたプログラム対応チャンネル番号の情報（あるいはその選局制御信号データでもよい）と、その時刻情報が、チャンネル履歴テーブルに記録される。
【０１１２】
そして、このリモコン信号の受信時、あるいはボタン押下の契機で、過去のチャンネル履歴テーブルを調べ、同じ曜日、同時刻に前述と同様にある一定頻度以上に視聴されているプログラム対応チャンネルがあるか否かを判定し、あればそれを高頻度視聴チャンネルと判定する。そして、前述と同様に、メッセージ表示およびＰｉｎＰの子画面表示を行なうと共に、自動録画を、適宜、行なうようにする。
【０１１３】
［放送受信装置の他の実施形態］
以上の例は、地上放送波の受信装置の場合であるが、以下に説明する例は、米国で放送が開始されたデジタル衛星放送に、この発明を適用した場合である。上述したアナログ地上放送では、日本の場合、例えば６ＭＨｚ毎に周波数帯域が分割され、各分割周波数帯域を放送伝送チャンネルとして、１つの放送伝送チャンネルに１つの放送局、つまり、プログラム対応チャンネルが１対１に対応するようにされていたので、１つの放送伝送チャンネルを選択することで、特定の放送局（プログラム対応チャンネル）の番組を選択受信することができる。
【０１１４】
これに対して、この例のデジタル衛星放送においては、伝送チャンネルと、プログラム対応チャンネル（この例では放送局に対応、以下同じ）とは一致せず、チャンネルは特定の周波数帯域を示すものとはならない。これは、放送周波数帯域を有効利用するためである。
【０１１５】
すなわち、デジタル衛星放送では、映像や音声は、ＭＰＥＧ１あるいはＭＰＥＧ２などの方式によって、データ圧縮して放送するものであり、画面の動きの少ない番組であれば、放送する情報量は少なくてよく、一方、スポーツ番組などの動きの激しい映像の場合には、これを画質を落とさずに放送するためには、情報量が多く必要である。そこで、ある番組を放送するとき、放送する情報量に応じて使用する放送周波数あるいは周波数群を変更することにより、放送周波数帯域を有効利用するようにしているのである。つまり、情報量が少ない場合には、複数の番組を、１つの周波数あるいは１つの周波数群で放送が可能であり、情報量が多量である場合には、１つの番組であっても複数の周波数あるいは複数の周波数群を使用して放送する必要がある場合もある。
【０１１６】
デジタル衛星放送では、このように、プログラム対応チャンネルに対して、放送波の使用状況が固定的でないので、ある特定の周波数群の放送信号として、他の放送波周波数あるいは周波数群が、プログラム対応チャンネルに対してどのように使用されているかについての情報を放送するようにしている。この明細書では、これをインデックスチャンネルと呼ぶ。
【０１１７】
このインデックスチャンネルの情報には、番組タイトルなども含む放送番組予定表の情報も含まれる。このため、デジタル衛星放送では、プログラム対応チャンネルと時間が分かれば、その放送番組のタイトルなどもインデックスチャンネルから得ることができる。そこで、この番組タイトル情報を高頻度チャンネル履歴情報に共に記憶しておけば、受信者に対して、プログラム対応チャンネルだけでなく、その番組タイトルを、高頻度視聴番組の情報として報知することができる。つまり、高頻度視聴チャンネルが裏番組に存在するとするメッセージに、番組タイトルを含めることができる。
【０１１８】
なお、デジタルテレビ放送の場合、チューナは２個設ける必要がなく、１個のプログラムセレクタと２個のデコーダでこれを置き換えることができる。そして放送波の伝送チャンネルと、番組を表すプログラム対応チャンネルとは一致しないので、この場合には選局情報としては、プログラム対応チャンネルをチャンネル履歴情報として記憶することになる。
【０１１９】
図１１は、この例の受信装置のブロック構成例を示している。２１は衛星放送アンテナで、このアンテナ２１で受信したデジタル放送波は、プログラムセレクタ２２に供給される。プログラムセレクタ２２は、後述するように、システムコントロール部３００からの制御信号を受けて、いわゆるプログラム対応チャンネルの選択を行ない、放送信号からインデックスデータを抽出するとともに、ユーザにより指定されたプログラム対応チャンネルの映像データパケットと、音声データパケットを抽出する。
【０１２０】
プログラムセレクタ２２は、単一のプログラム対応チャンネルだけでなく、複数のプログラム対応チャンネルの映像データパケットおよび音声データパケットを抽出することができる。この例の装置では、２つのプログラム対応チャンネルを抽出するようにしており、以下の説明においては、一方をメインチャンネルのデータパケット、他方をサブチャンネルのデータパケットと呼ぶ。
【０１２１】
プログラムセレクタ２２で抽出されたメインチャンネルのＭＰＥＧ１あるいはＭＰＥＧ２方式で圧縮された映像データは、映像データデコード部２３Ｍに供給され、サブチャンネルの圧縮された映像データは、映像データデコード部２３Ｓに供給され、それぞれ、デコード、データ伸長処理、補間処理が行なわれる。
【０１２２】
映像データデコード部２３Ｍは、その出力映像データを映像表示処理部２５に、映像データデコード部２３Ｓは、その出力映像データを子画面処理部２６に、それぞれ、フレームイメージの形式で出力する。
【０１２３】
映像表示処理部２５は、この映像表示処理部２５に内蔵のフレームメモリに、フレームイメージを規定された周期で書き込み、Ｄ／Ａ変換して、ＰｉｎＰ処理部２７を介してディスプレイ、この例ではＣＲＴディスプレイ２８に出力する。こうして、ユーザにより選択指定されたメイン番組の映像がＣＲＴディスプレイ２８の画面に再生表示される。
【０１２４】
また、子画面処理部２６は、フレームイメージのデータを圧縮して、ディスプレイ２８の画面の一部にその画像を表示するためのデータを生成し、これをメモリに規定の周期で書き込み、Ｄ／Ａ変換してＰｉｎＰ処理部２７に供給する。
【０１２５】
ＰｉｎＰ処理部２７は、システムコントロール部３００からのＰｉｎＰ要求があったときに、予め指定された画面位置あるいはＰｉｎＰ要求に含まれる位置指定信号により指定される画面位置に、この子画面処理部２６からの映像信号による画像を表示するように、映像表示処理部２５からの映像信号に重畳する。したがって、システムコントロール部３００からＰｉｎＰ要求があったときには、指定された画面位置にサブチャンネルの番組の画像がメインチャンネルの番組の画像の一部の子画面として表示される。
【０１２６】
また、プログラムセレクタ２２で抽出されたメインチャンネルおよびサブチャンネルのＭＰＥＧ／オーディオの形式で圧縮された音声データは、それぞれ音声データデコード部２４Ｍおよび２４Ｓに供給され、デコード、データ伸長処理等されて、デジタル信号の形で出力される。
【０１２７】
そして、音声データデコード部２４Ｍからの音声データは、音声処理部２９を介し、アンプ３０を介してスピーカ３１に供給され、上記メイン番組音声が再生される。音声処理部２９では、デジタル音声データのＤ／Ａ変換と、リモートコマンダ５０を通じてのユーザの音量調節操作、音質調整操作に応じたシステムコントロール部３００からの制御信号を受けて、音量調節、音質調整等が行なわれる。
【０１２８】
サブチャンネルの音声データデコード部２４Ｓからの音声データは、ＰｉｎＰの子画面に表示される番組の音声であり、前述したように直接的には、スピーカ３１での再生対象のならない。しかし、この例では、後述するように、記録再生装置部２００での記憶対象となるものである。
【０１２９】
システムコントロール部３００は、マイクロコンピュータの構成とされており、システムバス３０１に対して、ＣＰＵ３０２と、実行するプログラムや番組表などを表示するためのイメージデータや文字フォントデータなどの固定データが格納されているＲＯＭ３０３と、ワークエリア用などに使用される揮発性メモリとしてのＲＡＭ３０４と、保持が必要なデータ用の不揮発性メモリとしてのＳＲＡＭ３０５と、ビデオＲＡＭ３０６と、Ｉ／Ｏポート３０２を介してタイマー（時計回路）３０８とが接続されている。
【０１３０】
また、ユーザが、リモートコマンダ５０に対して操作を行なうと、このリモートコマンダ５０は、ユーザの操作に応じたリモコン信号を例えば赤外線としてリモコン受信／デコード部４３に送信する。リモコン受信／デコード部４３は、受信したリモコン信号をデコードし、システムコントロール部３００にＩ／Ｏポート（図示せず）を介して入力する。システムコントロール部３００は、入力されたデジタルリモコン信号を解釈し、ユーザのリモコン操作に応じた制御を行なうようにＲＯＭ３０３のプログラムを実行する。
【０１３１】
リモートコマンダ５０で、プログラム対応チャンネル選択操作（番組選択操作）が行なわれたときには、そのチャンネルの映像データパケットおよび音声データパケットなどが抽出される。
【０１３２】
このデータパケットの抽出に当たっては、システムコントロール部３００は、前述したように、プログラムセレクタ２２からインデックスチャンネルのインデックスデータを受け取り、チャンネル割り当て情報パケット２２のチャンネル割り当て情報を参照して、リモートコマンダ５０でユーザにより選択されたプログラム対応チャンネルが、どの周波数あるいは周波数群に割り当てられているかを認識する。
【０１３３】
そして、システムコントロール部３００は、この認識結果に応じた選択制御信号をプログラムセレクタ２２に送り、プログラムセレクタ２２で、ユーザにより指定されたチャンネルの映像データパケット、音声データパケット等を選択するように制御する。このとき、システムコントロール部３００は、選択したプログラム対応チャンネルの番組タイトルなどをＲＡＭ３０４に記憶しておくことができる。
【０１３４】
前述したように、チャンネルに対する周波数あるいは周波数群の割り当て情報は、インデックスチャンネルによって、そのときの放送波に応じて順次変更されたものが、一定周期で、チャンネル割り当て情報パケット２２として放送されているので、システムコントロール部３００は、この例では、プログラムセレクタ２２に一定周期でインデックスデータのデータパケットの要求を依頼する。プログラムセレクタ２２は、このシステムコントロール部３００からの要求を受けると、インデックスチャンネルのデータパケットをシステムコントロール部３００に返送する。これにより、システムコントロール部３００は、常時、チャンネルに対する周波数あるいは周波数群の割り当てを監視することができる。
【０１３５】
同様に、システムコントロール部３００は、プログラムセレクタ２２に、インデックスチャンネルの、現在時刻情報、番組予定情報パケットなどの転送要求を、例えば一定周期で行ない、この要求に応じてプログラムセレクタ２２は、要求のあったデータパケットをシステムコントロール部３００に転送する。
【０１３６】
なお、インデックスデータのデータパケットの取得要求を一定周期で、システムコントロール部３００からプログラムセレクタ２２に出すのではなく、予め、プログラムセレクタ２２で、インデックスチャンネルの上記のデータパケットを見付けたときに、これをシステムコントロール部３００に通知（転送）するように設定しておいたり、あるいは、システムコントロール部３００の要求に関係なく、一定周期でプログラムセレクタ２２から、それまでに見付けた指定のあったデータパケットをシステムコントロール部３００に通知するようにしておいてもよい。
【０１３７】
そして、この例の受信装置は、図１１に示すように、記録再生装置部２００を備える。この記録再生装置部２００は、この例では、前述したように、記録再生可能な光磁気ディスクである、いわゆるミニディスクの記録再生装置部の構成とされている。
【０１３８】
システムコントロール部３００は、リモートコマンダ５０を通じて、この記録再生装置部２００への記録要求操作が行なわれたときに、映像データデコード部２３Ｓからの映像データを映像エンコード／デコード部４１に送り、また、音声データデコード部２４Ｓからの音声データを音声エンコード／デコード部４２に送る。
【０１３９】
映像エンコード／デコード部４１は、映像データデコード部２３Ｓからの映像データを記録再生装置部２００に記録する形式にエンコードする。この例では、前記の光磁気ディスクへ記録するために、例えばＭＰＥＧ１のデータ形式にエンコードする。
【０１４０】
また、音声エンコード／デコード部４２は、ミニディスクに記録する形式のデータに、音声データデコード部２４Ｓからの音声データをエンコードする。つまり、音声データを高域ほど帯域幅が広くなるように複数の帯域に分割し、分割された各帯域毎に複数のサンプル（サンプル数は各帯域で同数とする方が良い）からなるブロックを形成し、各帯域のブロックごとに直交変換を行ない、係数データを得、この係数データに基づいて各ブロックごとのビット割り当てを行なうようにする方法を用いる。この場合のデータ圧縮方法は、音に対する人間の聴感特性を考慮しており、高能率でデータ圧縮ができる（特願平１−２７８２０７号参照）。例えば、音声データは約１／５にデータ圧縮される。
【０１４１】
映像エンコード／デコード部４１および音声エンコード／デコード部４２は、記録再生装置部２００が再生モードにされたとき、この記録再生装置部２００からの再生映像データおよび再生音声データをそれぞれ受けてデコードし、デコードした再生映像データは、映像表示処理部２５を介してＣＲＴディスプレイ２８に表示し、デコードした再生音声データは、音声処理部２９を介してスピーカ３１にて音声を再生する。
【０１４２】
記録再生装置部２００の具体的構成例を図１２に示す。
図１２において、２０１は光磁気ディスク（ミニディスク）である。この例のミニディスク２０１は、防塵及び傷付着防止のため、カートリッジ２０１Ａ内に直径６４ｍｍのディスク２０１Ｂを収納して構成されている。ディスク２０１Ｂには、予め、光スポット制御用（トラッキング制御用）のプリグルーブが形成されているが、特に、この例の場合には、このプリグルーブにトラッキング用のウォブリング信号に重畳して絶対アドレスデータが記録されている。
【０１４３】
ディスク２０１Ｂは、スピンドルモータ２０２により回転される。スピンドルモータ２０２の回転は、サーボ制御回路２０５により制御され、ディスク２０１Ｂが線速度一定の状態で回転するように制御される。ディスクカートリッジ２０１Ａにはシャッターが設けられており、ディスクカートリッジ２０１Ａがディスク装着トレイ上に載置されて、装置に装填されると、シャッターが開かれる。そして、ディスク２０１Ｂのシャッター開口部の上部には記録用の磁気ヘッド２０３が対向して配置され、ディスク２０１Ｂのシャッター開口部の下部には光ピックアップ２０４が対向して配置される。
【０１４４】
光ピックアップ２０４は、送りモータ２０６により、ディスク２０１Ｂの径方向に移動制御される。また、サーボ制御回路２０５により、光ピックアップ２０４のフォーカス及びトラッキング制御がなされる。
【０１４５】
記録再生装置部２００に内蔵されるシステムコントローラ２１０は、マイクロコンピュータを搭載して構成されており、システムコントローラ部３００との間で制御データや後述するＵＴＯＣのデータなどの通信を通信インターフェース２１１を介して行ない、装置２００全体の動作を管理している。
【０１４６】
図１２の実施形態の記録再生装置部２００の信号系の構成は、ＩＣ化によりできるだけ構成を簡略化できるように工夫されている。なお、記録時と再生時とでは、システムコントローラからのモード切換信号により、各部がモード切り換えされるようにされている。
【０１４７】
映像エンコーダ／デコード部４１および音声エンコーダ／デコード部４２と、記録再生装置部２００の信号系とは、インターフェース２２０を介して接続され、記録再生信号のやり取りを行なう。
【０１４８】
インターフェース２２０を介して入力された記録データは、メモリコントローラ２２１を介して、このメモリコントローラ２２１により制御されるバッファメモリ２２２に一度蓄えられる。この例の場合、バッファメモリ２２２は、データ容量が、１Ｍ〜４ＭビットのＤＲＡＭが用いられる。
【０１４９】
メモリコントローラ２２１は、記録中に振動等によりディスク２０１Ｂ上の記録位置が飛んでしまうトラックジャンプが生じなければ、バッファメモリ２２２から圧縮データを書き込み速度の約５倍の転送速度で順次読み出し、読み出したデータを、セクタ構造のデータエンコード／デコード回路２２３に転送する。
【０１５０】
また、記録中にトラックジャンプが生じたことを検出したときは、メモリコントローラ２２１は、データエンコード／デコード回路２２３へのデータ転送を停止し、インターフェース２２０からの圧縮データをバッファメモリ２２２に蓄積する。そして、記録位置が修正されたとき、バッファメモリ２２２からデータエンコード／デコード回路２２３へのデータ転送を再開するようにする制御を行なう。
【０１５１】
トラックジャンプが生じたか否かの検出は、例えば振動計を装置に設け、振動の大きさがトラックジャンプが生じるようなものであるか否かを検出することにより行なうことができる。また、この例のディスク２０１Ｂには、前述したように、プリグルーブに絶対アドレスデータが記録されているので、その絶対アドレスデータを記録時に読み取り、そのデコード出力からトラックジャンプを検出することもできる。また、振動計と絶対アドレスデータのオアを取ってトラックジャンプを検出するようにしても良い。なお、トラックジャンプが生じたときには、光磁気記録のためのレーザ光のパワーを下げる、あるいはパワーを零とするようにしておくものである。
【０１５２】
そして、トラックジャンプが生じたときの記録位置の修正は、前記の絶対アドレスデータを用いて行なうことができる。また、この場合のバッファメモリ２２２のデータ容量としては、上述から理解されるように、トラックジャンプが生じてから記録位置が正しく修正されるまでの間の時間分に相当する圧縮データを蓄積できる容量が最低必要である。この例では、バッファメモリ２２２の容量としては、前記のように１Ｍ〜４Ｍビット有し、この容量は前記の条件を十分に満足するように余裕を持ったものとして選定されているものである。
【０１５３】
また、この場合、メモリコントローラ２２１は、この記録時において、正常動作時は、できるだけバッファメモリ２２２に蓄積されるデータが少なくなるようにメモリ制御を行なう。すなわち、バッファメモリ２２２のデータ量が予め定められた所定量以上になったら、所定量のデータ、例えば３２セクタ分（１セクタは１ＣＤ−ＲＯＭセクタ（約２Ｋバイト））のデータだけバッファメモリ２２２から読み出して、常に所定データ量以上の書込み空間を確保しておくようにメモリ制御を行なう。
【０１５４】
データエンコード／デコード回路２２３は、バッファメモリ２２２から転送されてきた圧縮データをＣＤ−ＲＯＭのセクタ構造のデータにエンコードする。なお、３２セクタ分のデータを含む３６セクタのデータを以下クラスタと称する。後述するように、記録再生は、このクラスタ単位で行なうものである。
【０１５５】
データエンコード／デコード回路２２３の出力データは、ＥＦＭ及びＣＩＲＣエンコード／デコード回路２２４に供給される。この回路２２４では、データにエラー検出訂正用の符号化処理を行なうと共に、記録に適した変調処理、この例ではＥＦＭ（８−１４変調）処理などを施す。エラー検出訂正用の符号は、この例ではＣＤのＣＩＲＣ（クロスインターリーブ・リード・ソロモン符号）に対してインターリーブを変更したＡＣＩＲＣ（Add-on Interleave ＋ＣＩＲＣ）を用いる。
【０１５６】
記録データが間欠的なデータであり、３２セクタのデータの前後に、クラスタ接続用の合計４個のセクタ（以下リンキングセクタと称する）が付加され、３６セクタからなる１クラスタの記録データとされる。
なお、回路２２３と回路２２４とは１個のＩＣとして構成することが可能である。
【０１５７】
このようにして形成された記録データは、ヘッド駆動回路２２５を介して記録用磁気ヘッド２０３に供給される。これにより、記録データで変調された磁界がディスク２０１Ｂ（光磁気ディスク）に印加される。また、光ピックアップ２０４からのレーザービームがディスク２０１Ｂに照射される。
【０１５８】
光ピックアップ２０４は、例えばレーザダイオード等のレーザ光源、コリメータレンズ、対物レンズ、偏光ビームスプリッタ、シリンドリカルレンズ等の光学部品及びフォトディテクタ等から構成されており、この記録時は、記録トラックには、再生時より大きな一定のパワーのレーザ光が照射されている。この光照射と、磁気ヘッド２０３による変調磁界とにより、ディスク２０１Ｂには熱磁気記録によってデータが記録される。そして、磁気ヘッド２０３と光ピックアップ２０４とは、共に同期してディスク２０１の半径方向に沿って移動できるように構成されている。
【０１５９】
また、この記録時において、光ピックアップ２０４の出力がＲＦアンプ２２６を介してアドレスデコーダ２２７に供給されて、ディスク２０１Ｂのトラックに沿って設けられたプリグルーブにウォブル記録されている絶対アドレスデータが抽出され、デコードされる。そして、その検出された絶対アドレスデータがＥＦＭ及びＣＩＲＣエンコード／デコード回路２２４に供給され、記録データ中に挿入されて、ディスクに記録される。また、絶対アドレスデータは、システム制御回路２１０に供給され、記録位置の認識及び位置制御に用いられる。
【０１６０】
また、ＲＦアンプ２２６からの信号がサーボ制御回路２０５に供給され、ディスク２０１Ｂのプリグルーブからの信号からスピンドルモータ２０２の線速度一定サーボのための制御信号が形成され、スピンドルモータ２０２が速度制御される。
【０１６１】
次に、再生時について説明する。この再生時には、記録時と同様にして、サーボ制御回路２０５により、スピンドルモータ２０２が、プリグルーブからの信号により、ディスク２０１Ｂが記録時と同じ線速度一定の回転速度制御される。
【０１６２】
再生時、光ピックアップ２０４は、目的トラックに照射したレーザ光の反射光を検出することにより、例えば非点収差法によりフォーカスエラーを検出し、また、例えばプッシュプル法によりトラッキングエラーを検出すると共に、目的トラックからの反射光の偏光角（カー回転角）の違いを検出して、再生ＲＦ信号を出力する。
【０１６３】
光ピックアップ２０４の出力は、ＲＦアンプ２２６に供給される。ＲＦアンプ２２６は、光ピックアップ２０４の出力からフォーカスエラー信号やトラッキングエラー信号を抽出してサーボ制御回路２０５に供給すると共に、再生信号を２値化してＥＦＭ及びＣＩＲＣエンコード／デコード回路２２４に供給する。
【０１６４】
サーボ制御回路２０５は、前記フォーカスエラー信号が零になるように、光ピックアップ２０４の光学系のフォーカス制御を行なうと共に、トラッキングエラー信号が零になるように、光ピックアップ２０４の光学系のトラッキング制御を行なう。
【０１６５】
また、ＲＦアンプ２２６の出力はアドレスデコーダ２２７に供給され、このアドレスデコーダ２２７において、プリグルーブからの絶対アドレスデータが抽出され、デコードされる。そして、このデコーダ２２７からの絶対アドレスデータがＥＦＭ及びＣＩＲＣエンコード／デコード回路２２４を介してシステム制御回路２１０に供給され、サーボ制御回路２０５による光ピックアップ２０４のディスク半径方向の再生位置制御のために使用される。また、システム制御回路２１０は、再生データ中から抽出されるセクタ単位のアドレス情報も、光ピックアップ２０４が走査している記録トラック上の位置を管理するために用いることができる。
【０１６６】
この再生時、後述するように、ディスク２０１Ｂから読み出された圧縮データはバッファメモリ２２２に書き込まれ、読み出されて伸長されるが、両データの伝送レートの違いから、ディスク２０１Ｂからの光ピックアップ２０４によるデータ読み出しは、例えばバッファメモリ２２２に蓄えられるデータが所定量以下にならないように間欠的に行なわれる。
【０１６７】
ＥＦＭ及びＣＩＲＣエンコード／デコード回路２２４では、ＲＦアンプ２２６を介して供給された信号がＥＦＭ復調され、エラー訂正処理される。ＥＦＭ及びＣＩＲＣエンコード／デコード回路２２４の出力は、セクタ構造のデータエンコード／デコード回路２２３に供給されて、ＣＤ−ＲＯＭのセクタ構造を解き、データを圧縮された状態の元データにデコードする。
【０１６８】
データエンコード／デコード回路２２３の出力はメモリコントローラ２２１を介して、バッファメモリ２２２に一旦記憶される。そして、メモリコントローラ２２１は、再生中に振動等により再生位置が飛んでしまうトラックジャンプが生じなければ、回路２２３からの圧縮された状態のデータを書き込み速度の約１／５倍の転送速度で順次読み出し、読み出したデータを、インタ−フェース２２０を介して映像エンコード／デコード部４１および／または音声エンコード／デコード部４２に転送する。
【０１６９】
この場合、メモリコントローラ２２１は、正常動作時は、できるだけバッファメモリ２２２に必要最小限以上の所定データが蓄積されるようにメモリ制御を行なう。例えば、バッファメモリ２２２のデータ量が予め定められた所定量以下になったら、光ピックアップ２０４によりディスク２０１Ｂからのデータの間欠的な取り込みを行なって、データエンコード／デコード回路２２３からのデータの書き込みを行ない、常に所定データ量以上の読み出し空間を確保しておくようにメモリ制御を行なう。
【０１７０】
以上のようにして、記録再生装置部２００で再生され、映像エンコード／デコード部４１に供給された映像データは、この映像エンコード／デコード部４１で、ＭＰＥＧ１方式に対応するデコード、伸長処理、補間処理が行なわれ、映像表示処理部２５を介してＣＲＴディスプレイ２８に供給されて、その画面に画像が再生される。
【０１７１】
また、記録再生装置部２００で再生された音声データは、音声エンコード／デコード部４２でデコード、データ伸長処理が行なわれ、音声処理部２９を介してスピーカ３１に供給され、音声として出力される。
【０１７２】
このデジタル放送の受信装置の場合においても、前述のアナログテレビ放送の場合と同様にして、チャンネル履歴情報の作成方法の第１の実施形態においては、一定周期でプログラムセレクタ２２における、メインのデコード部２３Ｍと２４Ｍでデコードするプログラム対応チャンネルの選択状態を走査して、チャンネル履歴情報を作成し、ＳＲＡＭ３０５に記憶するようにする。一定周期の選択状態の走査のためのタイミングは、タイマー３０８から得る。この例においては、タイマー３０８の電源は、受信装置とは別電源とされている。
【０１７３】
そして、上記のチャンネル履歴情報の取り込みタイミングとは異なるタイミングで、現時点と同じ曜日、同じ時刻に高頻度視聴チャンネルがあるか否かを判定し、高頻度視聴チャンネルがある場合には、それがその時点で視聴中でなければ、前述の例と同様のメッセージを表示すると共に、ＰｉｎＰ表示を行なう。そして、必要に応じて、記録再生装置部２００でディスクにデジタル記録するようにする。
【０１７４】
また、この図１１の例の放送受信装置においても、チャンネル履歴情報の作成方法の第２の実施形態においては、プログラム対応チャンネルの選択操作時点でチャンネル履歴の取り込みを行ない、それをＳＲＡＭ３０５にその時刻情報と共に記憶する。時刻情報はタイマー３０８から得る。プログラム対応チャンネルの選択に当たっては、ユーザはインデックスチャンネルのインデックス情報に含まれる番組情報を参照するので、選択された番組のタイトルも、このインデックス情報から得ることができる。そこで、この例では、チャンネル履歴データには、番組タイトルを合わせて記憶する。
【０１７５】
この番組タイトルは、プログラム対応チャンネルの選択タイミングで、同時に実行される高頻度視聴チャンネルの判定時には、その高頻度視聴チャンネルがあったときに、それを知らせるメッセージに含めてディスプレイの画面に表示される。
【０１７６】
そして、高頻度視聴チャンネルの番組があったときに、それが視聴されなければ、前述の例と同様にして、そのチャンネルのビデオデータおよびオーディオデータは、圧縮されてディスクに自動的に記録される。そして、その記録の履歴がＵＴＯＣ（ユーザＴＯＣ（TABLE OF CONTENTS））に記録される。
【０１７７】
この例の場合には、ビデオデータおよびオーディオデータは、圧縮して記録されるので、より大量のデータの記録が可能である。
【０１７８】
以上はテレビ放送の場合について説明したが、ラジオ放送の場合でもこの発明は適用できる。そして、その場合には、記録再生装置としてＭＤなどのディスク媒体を使用することができ、ＭＤの場合には、ＵＴＯＣのエリアに自動的に録音履歴が記録されるため、そのＵＴＯＣの内容を読み出して、自動記録されたラジオ放送番組を容易に知ることができる。
【０１７９】
【発明の効果】
以上説明したように、この発明によれば、ユーザが好む番組を、例えば、過去の履歴から判定すると共に、その判定されたユーザが好む番組を、ユーザが視聴していないときには、自動的に記録媒体に記録するようにするので、ユーザは記録再生装置において再生するだけで、常に、その好む番組を見落とすことなく、視聴することができるようになる。
【０１８０】
また、この発明によれば、放送視聴中でなければ自動的にユーザが好む番組が記録されるため、ユーザが留守であったりして電源がオフであっても自動記録が行なわれるという効果がある。そして、自動記録であるので、予約録画のような面倒な設定操作も不要である。
【図面の簡単な説明】
【図１】この発明による放送受信装置の一実施形態のブロック図である。
【図２】この発明による放送受信装置の一実施形態に用いられるチャンネル履歴データの管理方法を説明するための図である。
【図３】この発明による放送受信装置の一実施形態に用いられるチャンネル履歴データの管理方法を説明するための図である。
【図４】この発明による放送受信装置の一実施形態に用いられるチャンネル履歴データの記憶手順を示すフローチャートである。
【図５】この発明による放送受信装置の一実施形態に用いられるチャンネル履歴データの１日分を説明するための図である。
【図６】この発明による放送受信装置の一実施形態に用いられるチャンネル履歴データの同曜日の３週分を説明するための図である。
【図７】この発明による放送受信装置の一実施形態における高頻度視聴チャンネルの自動録画動作を説明するためのフローチャートである。
【図８】この発明による放送受信装置の一実施形態においてディスプレイに表示されるメッセージの例を示す図である。
【図９】この発明による放送受信装置の一実施形態においてディスプレイに表示される画面の例を示す図である。
【図１０】この発明による放送受信装置の一実施形態において自動録画された内容のディスプレイ表示例を示す図である。
【図１１】この発明による放送受信装置の他の実施形態のブロック図である。
【図１２】図１１の実施形態の一部のブロック図である。
【符号の説明】
１Ｍ…メインチューナ、１Ｓ…サブチューナ、１０…録画再生装置部、１１…時計回路、１４…リモートコマンダ、１００…制御回路、１０１…ＣＰＵ、１０３…ＲＯＭ、１０５…チャンネル履歴情報記憶用のＳＲＡＭ、２２…プログラムセレクタ、２３Ｍ，２３Ｓ…映像データデコード部、２４Ｍ，２４Ｓ…音声データデコード部、５０…リモートコマンダ、２００…記録再生装置部、３００…システムコントロール部
【図１】
0003726902.tif 000002
【図２】
0003726902.tif 000003
【図３】
0003726902.tif 000004
【図４】
0003726902.tif 000005
【図５】
0003726902.tif 000006
【図６】
0003726902.tif 000007
【図７】
0003726902.tif 000008
【図８】
0003726902.tif 000009
【図９】
0003726902.tif 000010
【図１０】
0003726902.tif 000011
【図１１】
0003726902.tif 000012
【図１２】
0003726902.tif 000013